(57)【要約】【課題】ブレスレットの受け側留め金具を安定保持して差し込み側留め金具の装着を迅速かつ容易に達成できる補助器具を提供する。【解決手段】ブレスレット１０に設定された受け側留め金具１１に差し込み側留め金具１２を装着するブレスレット装着用補助器具１であって、ばね部材からなる器具本体２と、該器具本体の一端部に設定されたフック部３と、上記器具本体の他端部側に設定された二股状の挟持部４とを具備し、上記挟持部は両端部５，６に人体の一部に圧着して保持される突出部７，８を備え、上記器具本体の一端部に設定されたフック部３を安定保持すると共に、この安定保持されたフック部３に上記ブレスレットの受け側留め金具１１を保持させて、差し込み側留め金具１２を装着する。【選択図】図３
2015020056.tif 000002
【特許請求の範囲】
【請求項１】
ブレスレットに設定された受け側留め金具に差し込み側留め金具を装着する補助器具であって、ばね部材からなる器具本体と、該器具本体の一端部に設定されたフック部と、上記器具本体の他端部側に設定された二股状の挟持部とを具備し、上記挟持部は人体の一部に圧着して保持され、上記器具本体の一端部に設定されたフック部を安定保持すると共に、この安定保持されたフック部に上記ブレスレットの受け側留め金具を保持させて差し込み側留め金具を装着させるように構成されていることを特徴とするブレスレット装着用補助器具。
【請求項２】
前記器具本体は線状部材から構成され、前記二股状の挟持部はその両端部に平板状の突出部を備えたことを特徴とする、請求項１に記載のブレスレット装着用補助器具。
【請求項３】
前記器具本体は線状部材から構成され、前記二股状の挟持部はその両端部に渦巻き状に券回された突出部を備えたことを特徴とする、請求項１に記載のブレスレット装着用補助器具。
【発明の詳細な説明】
【技術分野】
【０００１】  本発明は、ブレスレットの装着に使用されるブレスレット装着用補助器具に関し、詳しくはブレスレットに設けられた受け側留め金具に差し込み側留め金具を装着する際、上記ブレスレットの受け側留め金具を所定位置に保持するブレスレット装着用補助器具に関する。
【背景技術】
【０００２】  従来、この種ブレスレット装着用補助器具として、チェーンの先端に小形の洗濯用はさみを備え、例えば右利きの人の左手首に装飾用としてのブレスレットを装着する際、当該ブレスレットの受け側留め金具の根本を上記洗濯用はさみで挟んで左手首の上に配置し、当該受け側留め金具に対する差し込み側留め金具を右手でもって装着する構成のものが知られている（例えば、登録実用新案文献１参照。）。
【先行技術文献】
【登録実用新案文献】
【０００３】
【登録実用新案文献１】
登録実用新案第３１１９００７号公報
【発明の概要】
【発明が解決しようとする課題】
【０００４】  前述の従来技術によれば、柔軟なチェーンの先端に設定された洗濯用はさみを介してブレスレットの受け側留め金具の根本を挟む構成であり、一般に、チェーンは自由自在に変形して一定の形状を維持することができないものであるから、柔軟なチェーンの先端に設定された洗濯用はさみは手首の移動にしたがって自在に変位し、当該洗濯用はさみに挟まれた受け側留め金具の設定位置が定まらず、差し込み側留め金具の装着が極めて困難であるなどの課題がある。【０００５】  本発明は、前記課題を解消するためになされたもので、ブレスレットの受け側留め金具を安定保持して差し込み側留め金具の装着を迅速かつ容易に達成できるブレスレット装着用補助器具を提供することを目的とする。
本発明の他の目的は、構成が簡単かつ安価なブレスレット装着用補助器具を提供することにある。
【課題を解決するための手段】
【０００６】  本発明は、前記課題を解消するために、ブレスレットに設定された受け側留め金具に差し込み側留め金具を装着する補助器具であって、ばね部材からなる器具本体と、該器具本体の一端部に設定されたフック部と、上記器具本体の他端部側に設定された二股状の挟持部とを具備する。【０００７】  また、第２の課題解決手段は、前記器具本体及び二股状の挟持部を線状部材から構成し、前記二股状挟持部の両端部に平板状の突出部を備える。【０００８】  さらに、第３の課題解決手段は、前記器具本体及び二股状の挟持部を線状部材から構成し、前記二股状挟持部の両端部に渦巻き状に券回された線状部材からなる突出部を備える。【０００９】  上記第１の課題解決手段による作用は、挟持部が人体の一部に圧着して保持され、器具本体の一端部に設定されたフック部を人体に対して一体的に安定保持することができるから、この安定保持されたフック部にブレスレットの受け側留め金具を設定保持させる場合、人体の一部がたとえ変位したとしても、上記フック部の人体上における移動はなく、人体上の所定位置に安定して保持される。したがって、上記フック部に設定されたブレスレットの受け側留め金具の配置位置が所定の位置に明確に決定されるから、差し込み側留め金具の装着が極めて容易かつ迅速になされる。【００１０】  また、第２の課題解決手段による作用は、器具本体を線状部材から構成し、前記二股状挟持部の両端部に平板状の突出部を備えるから、当該突出部による人体に対する圧着面積が増大し、上記器具本体及び二股状の挟持部を線状部材から構成した場合であっても、上記器具本体及びフック部の人体に対する保持が安定する。したがって、上記フック部に設定されたブレスレットの受け側留め金具の配置位置が所定位置に明確に決定されるから、差し込み側留め金具の装着が極めて容易かつ迅速になされる。【００１１】  さらに、第３の課題解決手段による作用は、器具本体及び二股状の挟持部を線状部材から構成し、前記二股状挟持部の両端部に渦巻き状に券回された線状部材からなる突出部を備えるから、構成が簡単かつ安価である。
【発明の効果】
【０００１２】  上述したように、本発明のブレスレット装着用補助器具は、フック部に設定されたブレスレットの受け側留め金具の配置位置が所定位置に明確に決定されているから、差し込み側留め金具の装着が極めて容易かつ迅速になされる。【００１３】  また、二股状挟持部の両端部に平板状の突出部を備えるから、当該突出部による人体に対する圧着面積が増大し、上記器具本体及び二股状の挟持部を線状部材から構成した場合であっても、上記器具本体及びフック部の人体に対する保持が安定する。【００１４】  さらに、器具本体及び二股状の挟持部を線状部材から構成すると共に、上記二股状挟持部の両端部に渦巻き状に券回された線状部材からなる突出部を備えるから、構成が簡単かつ安価である。
【図面の簡単な説明】
【００１５】
【図１】本発明の実施形態に係るブレスレット装着用補助器具の一例を示す概略図である。
【図２】本発明の実施形態に係るブレスレット装着用補助器具の他の例を示す概略図である。
【図３】本発明の実施形態に係るブレスレット装着用補助器具の使用の一例を示す概略図である。
【図４】本発明の実施形態に係るブレスレット装着用補助器具の使用における他の例を示す概略図である。
【発明を実施するための形態】
【００１６】  以下、本発明の好ましい実施の形態を図１〜図４を参照して説明する。
【００１７】  図１はブレスレット装着用補助器具の一例を示す。同図において、ブレスレット装着用補助器具１は、ばね部材からなる器具本体２と、該器具本体２の一端部に設定されたフック部３と、上記器具本体２の他端部側をほぼＵ字状に湾曲して形成された二股状の挟持部４とを備える。
上記器具本体２及び二股状の挟持部４は線状部材から構成され、二股状の挟持部４はその両端部５，６に平板状の突出部７，８を備える。
【００１８】  以下、上記構成の動作について説明する。
上記ブレスレット装着用補助器具１は、上記挟持部４の他端部６が人体の一部、例えば右利きの人であれば、図３で示す左手の中指と薬指の間に挿入され、挟持部４に設定された他方の突出部８を手の甲に圧着させると共に、一方の突出部７を手の平に圧着させる。
【００１９】  これによって、ブレスレット装着用補助器具１の挟持部４が左手に圧着して安定保持され、器具本体２に設定されたフック部３を、例えば手首の近傍に安定保持させることができる。
この安定保持されたフック部３にブレスレット１０の受け側留め金具１１を設定保持させる場合、左手の位置がたとえ変位したとしても、上記フック部３は手首の移動に追従して変位し、人体上における変位はほとんどなく、手首上の所定位置に安定して保持される。
【００２０】  したがって、上記フック部３に設定されたブレスレット１０の受け側留め金具１１の配置位置が左手に安定保持されているから、右手に保持された差し込み側留め金具１２の装着が極めて容易かつ迅速になされる。
【００２１】  つまり、ブレスレット１０の差し込み側留め金具１２は極めて微小な円環状に形成されており、この微小な円環状の差し込み側留め金具１２を右手で摘まんで、当該金具１２の開閉ピン（図示せず）を指先の爪で開放側へ移動させ、円環状に閉塞された前記金具１２の一部を開放し、この開放された差し込み側留め金具１２を前記受け側留め金具１１の円環状部に差し込むことにより、両留め金具１１，１２の装着が達成され、その装着が極めて容易かつ迅速になされる。
【００２２】  また、上記器具本体２及び二股状挟持部４が線状部材から構成されている場合であっても、上記二股状挟持部４の両端部に平板状の突出部４、５を備えるから、当該突出部４，５による人体に対する圧着面積が増大し、上記器具本体２及びフック部３の人体に対する保持が安定する。
【００２３】  図３で示す実施例は右利きの人の場合の例であり、左利きの人の場合は図４で示すように、二股状挟持部４は右手の中指と薬指の間に挿入され、その両端部に設定された一方の突出部８を手の甲に圧着させると共に、他方の突出部７を手の平に圧着させる。
【００２４】  なお、上記実施例において、上記ブレスレット装着用補助器具１は、機器本体２及び挟持部４が線状部材から構成されていたけれども、これらは細長い板状部材（図示せず）から構成されてもよい。
【００２５】  図２は他の実施例を示し、この実施例によれば、突出部７Ａ，８Ａは渦巻き状に券回された線状部材から構成されている。
即ち、器具本体２及び二股状挟持部４が線状部材から構成されると共に、上記二股状挟持部の両端部５，６に渦巻き状に券回された線状部材からなる突出部７Ａ，８Ａを備える。
【００２６】  従って、この実施例によれば、器具本体２、二股状挟持部４及び突出部７Ａ，８Ａを全て同一部材で構成することができ、構成が簡単かつ安価である。
図２で示す動作は、前述の図１及び図３における説明とほぼ同様であるから、その詳しい説明を省略する。
また、上記各実施例において、二股状挟持部４は線状部材をほぼＵ字状に湾曲して形成されているけれども、Ｖ字状やコ字状に湾曲された形状であってもよい。なお、上記実施例において、二股状挟持部４は人の手首近傍に設定されていたけれども、例えば腕の上腕部等の適宜な個所に設定されてもよい。
【符号の説明】
【００２７】１  ブレスレット装着用補助器具
２  器具本体
３  フック部
４  二股状挟持部
５  二股状挟持部の一端部
６  二股状挟持部の他端部
７，８  平板状突出部
７Ａ，８Ａ  渦巻き状突出部
【図１】
2015020056.tif 000003
【図２】
2015020056.tif 000004
【図３】
2015020056.tif 000005
【図４】
2015020056.tif 000006